(57)【要約】【課題】取付面への着脱を容易かつ確実に行うことができ、取付状態での安全性に優れ、見映えもよい吊下フックを提供する。【解決手段】吊紐を掛ける鉤部３に柄部４を連設し、柄部４の上端に釘穴６を有する固定部５を設けたフック本体１と、その釘穴６を介して取付面に打ち込む釘２とから成る吊下フックにおいて、前記釘２として、１本の丸棒状線材を折り曲げることにより、湾曲部７を介して脚部８が二股状に形成されたものを用い、フック本体１の固定部に、釘２の各脚部８がそれぞれ挿通される対の釘穴６を配置し、両脚部８を取付面に対し同時に打ち込んで固定できるようにする。また、先拡がりに離間した釘２の線材を、両脚部８の先端間隔が狭まるように撓ませて釘穴６で保持し、取付面への打ち込みに伴い、弾性による復元力を作用させて、取付面から抜け止めする。【選択図】図１
2007162841.tif 000002
【特許請求の範囲】
【請求項１】
吊紐を掛ける鉤部に柄部を連設し、柄部の上端に釘穴を有する固定部を設けたフック本体と、その釘穴を介して取付面に打ち込む釘とから成る吊下フックにおいて、前記釘として、１本の丸棒状線材を折り曲げることにより、湾曲部を介して脚部が二股状に形成されたものを用い、フック本体の固定部に、釘の各脚部がそれぞれ挿通される対の釘穴を配置したことを特徴とする吊下フック。
【請求項２】
請求項１に記載の吊下フックにおいて、先拡がりに離間した釘の線材を、両脚部の先端間隔が狭まるように撓ませて釘穴で保持し、取付面への打ち込みに伴い、その保持が解放されて、弾性による復元力が作用するようにしたことを特徴とする吊下フック。
【発明の詳細な説明】
【技術分野】
【０００１】
この発明は、額縁等を吊り下げるための吊下フックに関するものである。
【背景技術】
【０００２】
従来、額縁等を吊り下げる吊下フックとして、図５に示すように、フック本体５１に専用の釘５２を付属させたものが使用されている。このフック本体５１は、吊紐を掛ける鉤部５３に柄部５４を連設し、柄部５４の上端に形成した固定部５５に釘穴５６を設けたものとされている。
【０００３】
釘５２としては、先鋭な棒状の金属製軸部５７を有し、取外し時の利便性を考慮して、摘みとなる頭部５８を設けたものが多用される。そして、釘穴５６を介して軸部５７を取付面Ｗに打ち込むことにより、フック本体５１が取付面Ｗに固定される。
【発明の開示】
【発明が解決しようとする課題】
【０００４】
ところで、上記のような形式の吊下フックでは、耐荷重性や安定性を高めるため、複数本の釘で取り付けようとすると、釘の打ち込みに手間がかかるほか、取り外す際における釘の引き抜きにも手間がかかるという問題がある。
【０００５】
また、取付状態で釘の頭部が突起となっているので、掃除等に際し、衣服が不意に引っ掛かる等の危険性があり、見映えもよくないという問題がある。
【０００６】
そこで、この発明は、取付面への着脱を容易かつ確実に行うことができ、取付状態での安全性に優れ、見映えもよい吊下フックを提供することを課題とする。
【課題を解決するための手段】
【０００７】
上記課題を解決するため、この発明は、吊紐を掛ける鉤部に柄部を連設し、柄部の上端に釘穴を有する固定部を設けたフック本体と、その釘穴を介して取付面に打ち込む釘とから成る吊下フックにおいて、前記釘として、１本の丸棒状線材を折り曲げることにより、湾曲部を介して脚部が二股状に形成されたものを用い、フック本体の固定部に、釘の各脚部がそれぞれ挿通される対の釘穴を配置したのである。
【発明の効果】
【０００８】
この吊下フックでは、釘の湾曲部をハンマーで叩くことにより、両脚部が同時に取付面へ打ち込まれるので、容易に取り付けることができる。
【０００９】
そして、取付状態において、フック本体の回転が防止されると共に、フック本体の固定部の表面には釘の湾曲部が露出することとなるので、衣服等が不意に引っ掛かるおそれがなく、安全性に優れ、見映えもよいものとなる。
【００１０】
また、取り外しに際し、釘の湾曲部をペンチ等の工具で摘んで両脚部を取付面から容易に引き抜くことができ、通常の釘のように抉るように抜く必要がないので、取付面に残る釘の抜出穴が大きくなることもない。
【００１１】
また、先拡がりに離間した釘の線材を、両脚部の先端間隔が狭まるように撓ませて釘穴で保持し、取付面への打ち込みに伴い、その保持を解放して弾性による復元力を作用させると、取付状態で抜ける方向の反発力の発生が防止され、取付面から抜け止めされる。
【発明を実施するための最良の形態】
【００１２】
まず、この発明の第１実施形態を図１乃至図３に基づいて説明する。
【００１３】
この吊下フックは、図１に示すように、フック本体１と、これに付属する釘２とから構成される。
【００１４】
フック本体１は、金属板を折り曲げて形成され、吊紐を掛ける鉤部３に柄部４を連設すると共に、柄部４の上端に折り返しにより固定部５を連設し、この固定部５に前後の金属板を貫通する１対の釘穴６を上下に並べて設けたものとされている。
【００１５】
釘２は、１本の丸棒状線材を折り曲げることにより、湾曲部７を介して先尖な脚部８を二股状に形成し、両側の脚部８を、先端へかけて開く方向に角度を設けて離間させ、所定範囲内の力で線材を撓めても、元の形状に復帰する弾性を備えたものとされている。
【００１６】
フック本体１の上下の釘穴６の間隔は、釘２の両脚部８の基端部の間隔とほぼ同一であり、釘穴６の直径は、釘２の線材の外径よりも少し大きい寸法とされている。
【００１７】
いま、この吊下フックを取付面に取り付ける際、図２に示すように、釘２の両脚部８の先端側の間隔を狭める方向へ線材を撓ませて、各釘穴６にそれぞれ脚部８を挿入すると、両脚部８の先端側の間隔が釘穴６により保持される。
【００１８】
次に、釘２の湾曲部７をハンマーで叩くと、図３に示すように、両脚部８が取付面Ｗへ同時に打ち込まれ、吊下フックを取付面Ｗに容易に取り付けることができ、鉤部３に額縁等の吊紐Ｓを掛けられるようになる。
【００１９】
このとき、両脚部８は、取付面Ｗから壁体の奥側へかけての進行に伴い、釘穴６による先端間隔の保持から解放されて、線材の弾性により先端側の間隔が広がる方向に復元しようとし、取付状態で抜ける方向の反発力の発生が防止されるので、吊下フックは、取付面Ｗから抜け止めされ、石膏ボード等の脆く柔らかい壁体にも取り付けることができる。
【００２０】
そして、取付面Ｗへの取付状態において、フック本体１の回転が釘２により防止されると共に、固定部５の表面には湾曲部７が露出した状態となるので、衣服等が不意に引っ掛かるおそれがなく、安全性に優れ、見映えもよいものとなる。
【００２１】
また、取り外しに際し、釘２の湾曲部７をペンチ等の工具で摘んで両脚部８を取付面Ｗから容易に引き抜くことができ、通常の釘のように抉って抜く必要がないので、取付面Ｗに残る釘２の抜出穴が大きくなることもない。
【００２２】
なお、取付面が適度な硬さと靭性を有する木材である場合など、取付面の条件によっては、釘２として、図４に示す第２実施形態のように、両脚部８が平行となったものを用いてもよい。また、フック本体１は、プラスチック等の成形品としてもよい。
【００２３】
そのほか、対の釘穴６は、固定部５の形状に応じて、横に並べて設けてもよく、重量のある額縁等を吊り下げるため、多数個の釘２を使用するものでは、複数対の釘穴６を設けるようにしてもよい。
【図面の簡単な説明】
【００２４】
【図１】この発明に係る吊下フックの第１実施形態を示す斜視図
【図２】同上の取付過程を示す縦断側面図
【図３】同上の取付状態を示す縦断側面図
【図４】この発明に係る吊下フックの第２実施形態を示す斜視図
【図５】従来の吊下フックの取付状態を示す縦断側面図
【符号の説明】
【００２５】
１  フック本体
２  釘
３  鉤部
４  柄部
５  固定部
６  釘穴
７  湾曲部
８  脚部
Ｗ  取付面
Ｓ  吊紐
【図１】
2007162841.tif 000003
【図２】
2007162841.tif 000004
【図３】
2007162841.tif 000005
【図４】
2007162841.tif 000006
【図５】
2007162841.tif 000007